(57)【特許請求の範囲】
【請求項１】
投票内容を入力する投票入力部と、
現金又はキャシュレス会員カードにより入金を行う入金部と、
前記投票内容に対応する購入金額が前記入金部からの入金額を超えるか否かを判定する判定手段と、
前記判定手段の判定結果が超える場合、前記投票内容の内、前記入金額で購入可能な投票を実行する投票処理部と、
前記投票内容の内、前記入金額の不足により投票できない購入不能な投票内容について投票予約データとして保存する投票予約部と、
を備えることを特徴とする投票データ預かり装置。
【請求項２】
前記判定手段の判定結果が超える場合に、前記投票内容の内のどのレースのどの組み合わせを優先して投票券を購入するかの優先条件を表示して選択させる表示選択手段と、
選択された前記優先条件に従って、前記投票内容を、実行する内容と、投票予約データとして保存する内容とに割り付ける投票割付部と、
を備えることを特徴とする請求項１に記載の投票データ預かり装置。
【請求項３】
前記優先条件は、
前記投票内容の内、前記投票券の購入の締め切りが早いレースを優先して前記入金額に対応する投票券を発券することを特徴とする請求項２に記載の投票データ預かり装置。
【請求項４】
前記優先条件は、
前記入金額を超えない範囲で、前記投票内容に応じて按分した組み合わせの投票券を発券することを特徴とする請求項２に記載の投票データ預かり装置。
【請求項５】
前記投票処理部が実行した投票内容を印字した投票券を発券する投票券発券部と、
前記投票予約部が保存した前記投票予約データの投票内容を印字した投票予約券を発券する投票予約券発券部と、更に、
を備えることを特徴とする請求項１〜４のいずれか１項に記載の投票データ預かり装置。
【請求項６】
前記投票入力部から前記投票予約に対応した予約ＩＤが入力されると、入力された前記予約ＩＤに対応する前記投票予約データを呼び出し、
前記投票処理部は、
呼び出された前記投票予約データに対応する購入金額と前記入金額とに基づいて、購入可能な投票を実行することを特徴とする請求項１又は５に記載の投票データ預かり装置。
【請求項７】
請求項１〜６のいずれか１項に記載の投票データ預かり装置と、
前記投票データ預かり装置における前記投票予約データを保存するメモリ領域と、
を備える投票データ預かりシステム。
【請求項８】
コンピュータが、
投票内容を取得する処理と、
前記投票内容に対応する購入金額を算出する処理と、
入金額に関する情報を取得する処理と、
前記購入金額と前記入金額とを比較する処理と、
前記購入金額が前記入金額を超える場合に、前記投票内容を、前記入金額で実行可能な投票内容と、前記入金額で実行不能な投票内容と、に分ける処理と、
前記入金額で実行可能な投票内容を実行する処理と、
前記入金額で実行不能な投票内容を投票予約データとして保存する処理と、
を実行することを特徴とする投票データ預かり方法。
【請求項９】
投票内容を取得する処理と、
前記投票内容に対応する購入金額を算出する処理と、
入金額に関する情報を取得する処理と、
前記購入金額と前記入金額とを比較する処理と、
前記購入金額が前記入金額を超える場合に、前記投票内容を、前記入金額で実行可能な投票内容と、前記入金額で実行不能な投票内容と、に分ける処理と、
前記入金額で実行可能な投票内容を実行する処理と、
前記入金額で実行不能な投票内容を投票予約データとして保存する処理と、
をコンピュータに実行させるためのプログラム。
【発明の詳細な説明】
【技術分野】
【０００１】
本発明は、投票データ預かり装置、投票データ預かりシステム、投票データ預かり方法及びプログラムに関する。
【背景技術】
【０００２】
現在、トータリゼータシステムを構成する装置であって、ファンが投票券の発券あるいは払戻しなどを行うための装置として、投票券自動発売機、投票券自動発払機、有人発売機、有人払戻機の他に現金を用いずに投票を行うキャッシュレス端末等がある。また、会員ＩＤが付与されたＩＣ（Integrated Circuit）カードなどのキャッシュレス会員カード（以下「会員カード」という。）に現金をチャージし、的中払戻金額や残金を精算するための入金精算機がある。
【０００３】
キャッシュレス端末では、非接触型ＩＣカード等の電子カードを会員カードとし、先ず、入金精算機にて会員カードを読み取らせた後に、現金を投入して会員カードにチャージを行う。次に、キャッシュレス端末に会員カードをかざしてログイン後に、投票内容を記入した投票申し込みマークカード（以下「投票カード」という。）を読み取らせるか、手入力にて投票内容の入力を行い、現金を用いずに投票を行う。この場合、投票内容は会員カードのＩＤと対応付けられて管理されるため、投票券は発券されずに、レシートが発行される。最後に、入金精算機にて会員カードを読み取らせ、会員カードのＩＤと対応付けられて管理される投票内容に基づいて精算を行い、残金や的中払戻金等の現金を受け取る。
【０００４】
下記特許文献１には、マークシートの記入漏れが生じ、マークが不完全なために読み取れない投票カードに替えて、ファンが投票データを入力し、入力結果を表示により確認できるカード型表示器が記載されている。
【０００５】
下記特許文献２には、購入予約情報を受信し、購入予約情報に含まれる買う組み合わせの情報に従って発券を行う発券システムが記載されている。
【０００６】
更に、下記特許文献３には、非接触型Ｒ／Ｗで読み取った携帯端末の情報から投票券発行部で投票券の発行を行うと共に携帯端末に電子マネー残高金額の書き込みを行う投票券発売システムが記載されている。
【先行技術文献】
【特許文献】
【０００７】
【特許文献１】特開平１１−３０６２５６号公報
【特許文献２】特開２００５−２１６０１８号公報
【特許文献３】特開２００６−５３６２５号公報
【発明の概要】
【発明が解決しようとする課題】
【０００８】
しかしながら、従来のトータリゼータシステムでは、投票カードを読み込んで、カードに記載された投票の申し込み内容の購入合計金額より、残金が少ない場合には、残高不足のガイドメッセージを表示し、音声ガイドを発声して、該当する投票カードを返却していた。この場合、入金精算機で会員カードに現金をチャージ後に、投票することになるが、その間に、該当するレースの発売締め切りにより所望の投票ができない場合があった。
【０００９】
上記問題点に鑑み、本発明では、キャッシュレス端末などで、残金不足の場合に、レースの発売締め切りによる投票の機会の喪失を軽減することを可能とする投票データ預かり装置、投票データ預かりシステム、投票データ預かり方法及びプログラムを提供することを目的とする。
【課題を解決するための手段】
【００１０】
本発明の内の第１発明の投票データ預かり装置は、投票内容を入力する投票入力部と、現金又は会員カードにより入金を行う入金部と、前記投票内容に対応する購入金額が前記入金部からの入金額を超えるか否かを判定する判定手段と、前記判定手段の判定結果が超える場合、前記投票内容の内、前記入金額で購入可能な投票を実行する投票処理部と、前記投票内容の内、前記入金額の不足により投票できない購入不能な投票内容について投票予約データとして保存する投票予約部と、を備えることを特徴とする。
【００１１】
第２発明の投票データ預かりシステムは、前記投票データ預かり装置と、前記投票データ預かり装置における投票予約データを保存するメモリ領域と、を備えることを特徴とする。
【００１２】
第３発明の投票データ預かり方法は、コンピュータが、投票内容を取得する処理と、前記投票内容に対応する購入金額を算出する処理と、入金額に関する情報を取得する処理と、前記購入金額と前記入金額とを比較する処理と、前記購入金額が前記入金額を超える場合に、前記投票内容を、前記入金額で実行可能な投票内容と、前記入金額で実行不能な投票内容と、に分ける処理と、前記入金額で実行可能な投票内容を実行する処理と、前記入金額で実行不能な投票内容を投票予約データとして保存する処理と、を実行することを特徴とする。
【００１３】
第４発明のプログラムは、前記第３発明が有する処理をコンピュータに実行させるためのプログラムである。
【発明の効果】
【００１４】
本発明によれば、残金不足の場合に、投票券の発売締め切りによる投票券購入の機会の喪失を軽減することができるので、ファンサービスの向上及び主催者側の売り上げの向上に資することができる。
【図面の簡単な説明】
【００１５】
【図１】本実施形態のキャッシュレス端末１００の機能ブロック図である。
【図２】本実施形態のトータリゼータシステム全体の構成例を示すシステム構成図である。
【図３】図２中の投票予約データテーブル７００ａ，７００ｂの例を示す図である。
【図４】図２中のキャッシュレス端末１００の外観の概略を示す図である。
【図５】図４のキャッシュレス端末１００の概略の構成を示すブロック図である。
【図６】本実施形態のキャッシュレス端末１００からの投票の処理を示すフローチャートである。
【図７】投票予約データの選択画面の例を示す図である。
【図８】投票カードによる投票の処理例を示すフローチャートである。
【図９】投票予約データ有りの場合の投票の処理例を示すフローチャートである。
【図１０】図２中の入金精算機４００の外観図である。
【図１１】図１０の入金精算機４００の構成の概略を示すブロック図である。
【図１２】本実施形態の入金精算機４００の機能ブロック図である。
【図１３】（ａ）は、予約番号のみが表示された投票予約券の例を示す図であり、（ｂ）は、予約番号と金額が表示された投票予約券の例を示す図であり、（ｃ）は、投票券と投票予約券を兼用した場合の投票予約券の例を示す図である。
【図１４】本実施形態の入金精算機４００からの投票の処理を示すフローチャートである。
【発明を実施するための形態】
【００１６】
以下、本発明の実施の形態について図面を参照して説明する。
図１は、本実施形態の投票データ預かり装置としてのキャッシュレス端末１００の機能ブロック図であり、図２は、本実施形態のトータリゼータシステム全体の構成例を示すシステム構成図であり、図３は、図２中の投票予約データテーブル７００ａ，７００ｂの例を示す図であり、図４は、図２中のキャッシュレス端末１００の外観の概略を示す図であり、更に、図５は、図４のキャッシュレス端末１００の概略の構成を示すブロック図である。
【００１７】
先ず、本実施形態のトータリゼータシステムについて図２〜図５を用いて説明する。
図２において、トータリゼータシステムは、投票データ預かり装置としての複数のキャッシュレス端末１００（＝１００−１、１００−２、１００−３、１００−４、・・）、入金精算機４００、及び投票券発券装置４００Ａと、管理ＰＣ６００と、サーバとしての投票所管理端末７００と、がネットワーク３００及びハブ５００を介してホストコンピュータで構成された管理装置２００に接続されて構成されている。
【００１８】
キャッシュレス端末１００は、入金精算機４００により現金がチャージされた会員カードにより投票を行う装置である。
【００１９】
入金精算機４００は、現金による投票券の購入、的中投票券の払い戻し、会員カードによる的中払戻金あるいは残金の精算、及び会員カードへの現金のチャージを行う装置である。投票券発券装置４００Ａは、現金による投票券の購入、及び的中投票券の払戻しを行う装置である。
【００２０】
管理ＰＣ６００は、電子ジャーナルの蓄積及び被管理キャッシュレス端末情報の通知を行う装置である。投票所管理端末７００は、複数のキャッシュレス端末１００のサーバとして機能を有しており、会員ＩＤ及び予約ＩＤにそれぞれ対応付けされた投票予約データを保存すると共に、会員ＩＤ及び予約ＩＤから対応する投票予約データを呼び出せる投票予約データテーブル７００ａ，７００ｂを有している。
【００２１】
管理装置２００は、ネットワーク３００及びハブ５００を介して接続されている複数のキャッシュレス端末１００、入金精算機４００、及び投票券発券装置４００Ａ等からなるトータリゼータシステム全体を管理する装置である。
【００２２】
図３（ａ）は、会員カードによる投票で投票予約が行われた場合の投票予約データテーブル７００ａの例を示し、図３（ｂ）は、現金による投票で投票予約された場合の投票予約データテーブル７００ｂの例を示している。図３（ａ）の投票予約データテーブル７００ａでは、会員カードに付与されている会員ＩＤに紐付けされた投票予約データが保存されている。ここでは、会員ＩＤが投票予約に対応した予約ＩＤとなる。図３（ｂ）の投票予約データテーブル７００ｂでは、現金購入で投票予約券が発券される際に、投票予約券毎に付与される予約ＩＤに紐付けされた投票予約データが保存されている。ここでは、投票予約券毎に付与される予約ＩＤが投票予約に対応した予約ＩＤとなる。ファンが、投票予約データが保存されている会員カード又は投票予約券で投票を行う場合、投票予約データテーブル７００ａ又は７００ｂから会員ＩＤ又は予約ＩＤに紐付けされた投票予約データが読み出され、読み出された投票予約データにより投票の処理が行われる。
【００２３】
図４において、キャッシュレス端末１００は、ＩＣカードリーダ１１０、投票カード投入排出口１０４、ディスプレイ１０８、タッチパネル１０９、及びレシート排出口１０３を備えている。ＩＣカードリーダ１１０は、会員カードに記憶された情報を読み取るものであり、入金部に相当する。投票カード投入排出口１０４は、投票内容が記入された投票カードを投入及び排出するものであり、投票入力部に相当する。
【００２４】
ディスプレイ１０８は、投票予約データの選択画面やファンに選択してもらう優先条件を表示するものであり、その他、操作案内、レース案内、投票カードの投票内容等の情報を表示する。ディスプレイ１０８は、例えば、液晶ディスプレイである。ディスプレイ１０８の上部には、タッチパネル１０９が配置されている。
【００２５】
タッチパネル１０９は、各種の入力や投票内容の修正等の際に、ファンが操作するものである。タッチパネル１０９は、透過型であり、ディスプレイ１０８により表示された情報は、タッチパネル１０９を透過して、ファンから視認できるようになっている。ファンは、ディスプレイ１０８により表示された情報を見ながら、タッチパネル１０９に対するタッチ操作を行うことができる。タッチパネル１０９は、ファンがディスプレイ１０８の表示を見て、投票内容や優先条件を選択するものである。ディスプレイ１０８及びタッチパネル１０９により、表示選択手段が構成されている。
【００２６】
図５において、キャッシュレス端末１００は、制御部１１１、ディスプレイ１０８、タッチパネル１０９、ＩＣカードリーダ１１０、投票カード読取ユニット１１４、レシートプリンタ１１７を備えている。
【００２７】
制御部１１１は、中央演算装置（Central Processing Unit：以下「ＣＰＵ」という。）１２０、ラム（Random Access Memory：以下「ＲＡＭ」という。）１２１、コンパクトフラッシュ（登録商標）（以下「ＣＦ」という。）１２２、通信インタフェース１２３、グラフィック処理ユニット１２４、入出力インタフェース１２５を含み、各々がバス１２６を介して接続されている。尚、制御部１１１は、コンピュータの一例でもある。尚、ＣＦ１２２は、これに限定されず、ハードディスクドライブ（Hard Disk Drive：ＨＤＤ）等でも良い。
【００２８】
ＣＰＵ１２０は、キャッシュレス端末１００の全体動作を制御する。ＲＡＭ１２１は、ＣＰＵ１２０によって実行されるオペレティングシステム（Operating System：以下「ＯＳ」という。）のプログラムやアプリケーションプログラムの少なくとも一部を一時的に格納する。
【００２９】
グラフィック処理ユニット１２４には、ディスプレイ１０８が接続されている。グラフィック処理ユニット１２４は、ＣＰＵ１２０の制御の下に、各種の情報をディスプレイ１０８の画面に表示させる。入出力インタフェース１２５には、タッチパネル１０９、ＩＣカードリーダ１１０、投票カード読取ユニット１１４、レシートプリンタ１１７が接続されている。
【００３０】
入出力インタフェース１２５は、タッチパネル１０９、投票カード読取ユニット１１４、レシートプリンタ１１７、から送られてくる信号を、バス１２６を介してＣＰＵ１２０に送信する。また、入出力インタフェース１２５は、ＣＰＵ１２０から送られてくる制御信号を、バス１２６を介して対応するユニット（タッチパネル１０９、ＩＣカードリーダ１１０、投票カード読取ユニット１１４、レシートプリンタ１１７）へ送信する。
【００３１】
ＩＣカードリーダ１１０は、会員カードの会員ＩＤ、残金等を含む情報を読み取るものである。投票カード読取ユニット１１４は、投票カードから投票内容を読み取るユニットである。レシートプリンタ１１７は、投票内容を印字するプリンタである。
【００３２】
尚、キャッシュレス端末１００において、制御部１１１は、例えば、ＦＰＧＡ（Field Programmable Gate Array）やＤＳＰ（Digital Signal Processor）等のモジュールを含む構成とすることもできる。この場合、制御部１１１は、不揮発性メモリ、フラッシュメモリ、フラッシュメモリ型メモリカード等を含み、モジュールのファームウェアを記憶する。このように制御部１１１は、不揮発性メモリに記憶されているファームウェアを書き換えることにより、ファームウェアを更新することもできる。
【００３３】
次に、図２〜図５を参照しつつ、図１に基づいて本実施形態の投票データ預かり装置としてのキャッシュレス端末１００の機能ブロックを説明する。
【００３４】
実施形態のキャッシュレス端末１００は、投票入力部１と、購入金額算出手段２と、入金部３と、投票部４とを有している。
【００３５】
投票入力部１は、投票内容を入力するものであり、例えば、図４中の投票カード投入排出口１０４、図５中の投票カード読取ユニット１１４、ＣＰＵ１２０等により構成されている。ファンが、投票する組み合わせを記入した投票カードを投票カード投入排出口１０４から入れると、投票カード読取ユニット１１４が投票カードに記入された投票内容を読み取って、この投票内容を購入金額算出手段２及び表示選択手段４ｃへ出力する。更に、前回入金不足で投票できなかった場合、ファンが、会員カードをＩＣカードリーダ１１０にかざすと、投票入力部１は、例えば、投票所管理端末７００内の投票予約データテーブル７００ａ，７００ｂ等のメモリ領域に保存された会員ＩＤに紐付けされた投票予約データを読み出し、読み出した投票予約データにおける投票内容を購入金額算出手段２及び表示選択手段４ｃへ出力する。ここで、投票予約データの保存領域は、投票所管理端末７００内の投票予約データテーブル７００ａ，７００ｂ等のメモリ領域に限定されず、例えば、管理装置２００や管理ＰＣ６００内の図示しないメモリ領域であっても良い。
【００３６】
購入金額算出手段２は、入力された投票内容を全て投票する際の合計の購入金額を算出し、この購入金額の情報を投票部４へ出力するものである。購入金額算出手段２は、例えば、図５中のＣＰＵ１２０により構成されている。
【００３７】
キャッシュレス端末１００における入金部３は、会員カードにより投票カードの内容の投票券を購入するために入金を行うものであり、ＩＣカードリーダ１１０により読み取られる会員カードの残金が入金額に相当する。後述する入金精算機４００及び投票券発券装置４００Ａにおける入金部３は、現金により入金を行うものである。キャッシュレス端末１００における入金部３は、例えば、図４中のＩＣカードリーダ１１０、図５中のＣＰＵ１２０等により構成されている。入金部３は、入金された入金額の情報を投票部４へ出力する。
【００３８】
投票部４は、投票内容に対応する購入金額と入金額とを比較して、購入金額が入金額を超えるか否かを判定する判定手段４ｈを有している。判定手段４ｈの判定結果が、購入金額が入金額以下の場合は、投票処理部４ｂは、投票入力部１から入力された投票内容の投票をホストコンピュータに対して実行する。
【００３９】
判定手段４ｈの判定結果が、購入金額が入金額を超える場合は、その旨の情報を表示選択手段４ｃへ出力する。表示選択手段４ｃは、投票入力部１から入力される投票内容と、判定手段４ｈから入力される情報とに基づいて、投票内容に対応する購入金額と、入金額と、現在の入金額でどの投票内容を優先して購入するかを示す優先条件とを、図４中のディスプレイ１０８上に表示する。ファンが、ディスプレイ１０８上に表示された優先条件の１つを選択すると、選択された優先条件の情報が投票割付部４ｄへ出力される。ここで、優先条件の選択肢としては、出走が早いレースを優先する選択肢、購入金額以内で投票内容に応じて按分した投票券を購入する選択肢等が考えられる。
【００４０】
投票割付部４ｄは、選択された優先条件に従って、投票処理部４ｂで行われる投票内容を決定すると共に、ファンが希望する投票内容から投票済みの内容を除いて投票予約の内容を決定し、投票内容及び投票予約の内容を投票処理部４ｂ及び投票予約部４ｅへそれぞれ出力する。
【００４１】
投票処理部４ｂ及び投票予約部４ｅは、投票割付部４ｄから入力された内容に基づいて、それぞれ投票の実行及び投票予約データの保存を行う。投票予約データは、例えば、図２中の投票所管理端末７００内のメモリ領域の投票予約データテーブル７００ａに保存する。投票された投票内容及び保存された投票予約データの内容は、図５中のレシートプリンタ１１７により印字され、図４中のレシート排出口１０３から排出される。
【００４２】
以上の構成のキャッシュレス端末１００において、以下に本実施形態の動作を説明する。
【００４３】
図６は、本実施形態のキャッシュレス端末１００からの投票の処理を示すフローチャートであり、図７は、投票予約データの選択画面の例を示す図である。
【００４４】
先ず、図１〜図５及び図７を参照しつつ、図６のフローチャートに沿って、本実施形態の投票券購入の全体処理について説明する。
【００４５】
処理が開始されると、ステップＳ１へ進む。ステップＳ１において、ＩＣカードリーダ１１０により読み取られた会員カードについての認証が行われ、入金額としての残金が認識され、ステップＳ２へ進む。ここで、会員カードの認証は、例えば、ディスプレイ１０８上に暗証番号の入力を求める操作ガイドを表示し、ファンがタッチパネル１０９を用いて暗証番号を入力することにより行われる。
【００４６】
ステップＳ２において、キャッシュレス端末１００は、例えば、投票予約データテーブル７００ａに対し、会員ＩＤに紐付けされた投票予約データの有無を問い合わせ、ステップＳ３へ進む。ステップＳ３において、キャッシュレス端末１００内のＣＰＵ１２０は、投票予約データの有無を判定し、投票予約データ有の場合は（Ｙｅｓ）、ステップＳ４へ進み、投票予約データ無の場合は（Ｎｏ）、ステップＳ６へ進む。
【００４７】
ステップＳ４において、ＣＰＵ１２０は、グラフィック処理ユニット１２４により、投票予約データに対応する選択画面をディスプレイ１０８の画面上に表示し、ステップＳ５へ進む。投票予約データの選択画面の例が図７に示されている。図７の例では、投票予約データ３連単の組合せとその組合せに対応する購入金額が表示されている。
【００４８】
ステップＳ５において、ファンが投票締め切り時刻前に、投票予約の実行がされたか否かが判断され、投票予約の実行がされなかった場合は（Ｎｏ）、ステップＳ６へ進み、投票予約の実行がされた場合は（Ｙｅｓ）、ステップＳ７へ進む。ステップＳ５における投票予約の実行は、例えば、図７に示された選択画面における組合せとその組合せに対応する購入金額のまま、タッチパネル１０９の実行キーにタッチ操作がされ、表示された組合せと購入金額のまま投票予約の実行がされる場合と、ファンが表示された組合せに対する購入金額を修正した後に、修正後の内容で投票予約の実行がされる場合とを含んでいる。
【００４９】
ステップＳ６において、投票カード読取ユニット１１４は、投票カード投入排出口１０４から入力された投票カードの投票内容を読み取り、ステップＳ８へ進む。また、ステップＳ７において、投票入力部１は、メモリ領域から読み出した会員ＩＤに紐付けされた投票予約データを判定手段４ｈへ入力し、ステップＳ８へ進む。
【００５０】
ステップＳ８において、判定手段４ｈは、ステップＳ６で読み取られた投票内容及びステップＳ７で入力された投票予約データに基づく購入金額が、ステップＳ１で認識された会員カードの残金以下であるか否かを判定し、購入金額が残金以下の場合は（Ｙｅｓ）、ステップＳ９へ進み、購入金額が残金を超える場合は（Ｎｏ）、ステップＳ１０へ進む。
【００５１】
ステップＳ９において、投票処理４ｂは、ステップＳ６で読み取られた投票内容、及びステップＳ７で入力された投票予約データに基づく予約内容の投票を実行し、ステップＳ１３へ進む。
【００５２】
ステップＳ１０において、投票割付部４ｄは、表示選択手段４ｃにおいてファンが選択した優先条件に基づいて、投票内容中で投票を実行する投票内容と、購入不可で投票予約データとして保存する投票内容と、に分け、ステップＳ１１へ進む。ステップＳ１１において、投票処理部４ｂは、投票割付部４ｄにより割り付けられた投票内容の投票を実行し、ステップＳ１２へ進む。ステップＳ１２において、投票予約４ｅは、残金不足により、購入不能の投票内容の投票予約データを、例えば、投票所管理端末７００へ送信し、投票予約データテーブル７００ａに保存し、ステップＳ１３へ進む。
【００５３】
ステップＳ１３において、レシートプリンタ１１７は、残金を印刷したレシートを出力し、処理を終了する。
【００５４】
以上の図６の様に処理することによって、購入金額が残金を超える場合にも、残金の範囲内で投票が可能となり、ファンが購入を希望し残金不足で購入できなかった投票内容については、投票予約データがメモリ領域に保存される。
【００５５】
図８は、投票カードによる投票の処理例を示すフローチャートであり、会員カード残金2,000円で、投票カードの内容が「１−２  1,000円」、「２−３  1.000円」、「３−４  1,000円」、「４−５  500円」であり、投票予約データなしの場合の処理が示されている。
【００５６】
次に、図１〜図６を参照しつつ、図８のフローチャートに沿って、本実施形態における投票カードによる投票の処理例について説明する。
【００５７】
処理が開始されると、ステップＳ１へ進む。ステップＳ１において、ＩＣカードリーダ１１０により読み取られた会員カードについての認証が行われ、残金2,000円が認識され、ステップＳ２へ進む。
【００５８】
ステップＳ２において、キャッシュレス端末１００は、メモリ領域に対し、投票予約データの有無を問い合わせ、ステップＳ３へ進む。ステップＳ３において、キャッシュレス端末１００内のＣＰＵ１２０は、投票予約データの有無を判定するが、投票予約データは無いなので（Ｎｏ）、ステップＳ６へ進む。
【００５９】
ステップＳ６において、投票カード読取ユニット１１４は、投票カード投入排出口１０４から入力された投票カードの投票内容を読み取り、ステップＳ８へ進む。ここで、投票カードの投票内容「組合  購入金額」は、「１−２  1,000円」、「２−３  1,000円」、「３−４  1,000円」、「４−５  500円」である。
【００６０】
ステップＳ８において、判定手段４ｈは、ステップＳ６で読み取られた投票内容に基づく購入金額が残金以下であるか否かを判定するが、ここでの購入金額は3,500円であり、購入金額3,500円が残金2,000円を超えているため（Ｎｏ）、ステップＳ１０へ進む。
【００６１】
ステップＳ１０において、投票割付部４ｄは、表示選択手段４ｃによりファンが選択した優先条件に従って、投票内容中で投票する投票内容と、投票をせずに投票予約データとして保存する投票内容と、に分け、ステップＳ１１へ進む。ここで示した例では、「１−２  1,000円」及び「２−３  1.000円」の投票内容が購入可能、「３−４  1,000円」及び「４−５  500円」の投票内容が購入不可と割り付けられている。
【００６２】
ステップＳ１１において、投票処理部４ｂは、「１−２  1,000円」及び「２−３  1.000円」の内容の投票を行い、ステップＳ１２へ進む。ステップＳ１２において、投票予約部４ｅは、購入不可の「３−４  1,000円」及び「４−５  500円」の投票予約データをメモリ領域に保存し、ステップＳ１３へ進む。投票予約データの保存先は、投票所管理端末７００内の投票予約データテーブル７００ａでも、管理ＰＣ６００内の図示しないメモリ領域等であっても良い。
【００６３】
ステップＳ１３において、レシートプリンタ１１７は、残金０円を印刷したレシートを出力し、処理を終了する。
【００６４】
以上の図８のように処理することによって、投票カードの購入金額が会員カードの残金を超える場合にも、購入可能な投票が可能となる。
【００６５】
図８の説明では、処理内容の理解を容易にするために、投票内容が１つのレースのみの例を説明したが、投票カードの内容が複数のレースの場合について説明する。例えば、会員カードの残金が2,000円であり、第１レースについて「１−２  1,000円」及び「２−３  1,000円」と、第２レースについて「２−３  1,000円」及び「３−４  1,000円」と、第３レースについて「３−４  1,000円」及び「４−５  1,000円」と、を記入した投票カードが投入された場合について説明する。
【００６６】
この場合、図８中のステップＳ１０において、ファンが出走の早いレースを優先する優先条件が選択されると、第１レースの「１−２  1,000円」及び「２−３  1,000円」を購入可能、第２レースの「２−３  1,000円」及び「３−４  1,000円」と、第３レースの「３−４  1,000円」及び「４−５  1,000円」を購入不可とし、ステップＳ１１において、第１レースの「１−２  1,000円」及び「２−３  1,000円」の投票を行い、ステップＳ１２において、第２レースの「２−３  1,000円」及び「３−４  1,000円」と、第３レースの「３−４  1,000円」及び「４−５  1,000円」の投票予約データをメモリ領域に保存する。このようにすれば、出走が早い第１レースについての投票を優先して行うことができる。出走が遅い第２レース以降の投票は、会員カードに現金をチャージ後に、改めて投票カードに投票内容をチェックすることなく、会員カードの会員ＩＤに紐付けされた投票予約データをメモリ領域から読み出すことにより、速やかに投票をすることができる。
【００６７】
更に、図８中のステップＳ８において購入金額が残金を超える場合におけるステップＳ１０〜Ｓ１２の処理は、残金を超えない範囲で、投票内容に応じて按分した組み合わせの投票を行うようにしても良い。例えば、会員カードの残金が7,000円で、投票カードの内容が「１−２  10,000円」、「２−３  10,000円」、「３−４  10,000円」、「４−５  5,000円」の場合、「１−２  2,000円」、「２−３  2,000円」、「３−４  2,000円」、「４−５  1,000円」の投票を行い、「１−２  8,000円」、「２−３  8,000円」、「３−４  8,000円」、「４−５  4,000円」の投票予約データをメモリ領域に保存する。このようにすれば、残金を超えない範囲で、ファンが購入を希望している組み合わせの投票をすることができる。
【００６８】
図９は、投票予約データ有りの場合の投票の処理例を示すフローチャートであり、会員カード残金5,000円で、「３−４  1,000円」、「４−５  500円」の投票予約データあり場合の処理が示されている。
【００６９】
図１〜図６及び図７を参照しつつ、図９のフローチャートに沿って、本実施形態における投票予約データによる投票の処理例について説明する。
【００７０】
処理が開始されると、ステップＳ１へ進む。ステップＳ１において、ＩＣカードリーダ１１０により読み取られた会員カードについての認証が行われ、残金5,000円が認識され、ステップＳ２へ進む。
【００７１】
ステップＳ２において、キャッシュレス端末１００は、例えば、投票予約データテーブル７００ａに対し、投票予約データの有無を問い合わせ、ステップＳ３へ進む。ステップＳ３において、キャッシュレス端末１００内のＣＰＵ１２０は、投票予約データの有無を判定するが、ここに示した例では、投票予約データが有るので（Ｙｅｓ）、ステップＳ４へ進む。
【００７２】
ステップＳ４において、ＣＰＵ１２０は、グラフィック処理ユニット１２４により、例えば、図７に示されたような投票予約データに対応する選択画面をディスプレイ１０８の画面上に表示し、ステップＳ５へ進む。ステップＳ５において、ファンが投票締め切り時刻前に、投票予約の実行がされたか否かが判断されるが、この例では、投票予約の実行がされ（Ｙｅｓ）、ステップＳ７へ進む。ステップＳ７において、投票入力部１は、メモリ領域から読み出した投票予約データを判定手段４ｈ及び表示選択手段４ｃへ入力し、ステップＳ８へ進む。ここでは、投票予約データの内容「３−４  1,000円」、「４−５  500円」が判定手段４ａ及び表示選択手段４ｃに入力される。
【００７３】
ステップＳ８において、判定手段４ｈは、ステップＳ７で入力された投票予約データに基づく購入金額が残金以下であるか否かを判定するが、購入金額1,500円が残金5,000円以下であるので、ステップＳ９へ進む。
【００７４】
ステップＳ９において、投票処理部４ｂは、ステップＳ７で入力された投票予約データに基づく予約内容の投票を実行し、ステップＳ１３へ進む。ここでは、投票予約データに対応する「３−４  1,000円」、「４−５  500円」の投票が実行される。
【００７５】
ステップＳ１３において、レシートプリンタ１１７は、当初の残金5,000円から投票の購入金額1,500円を差し引いた残金3,500円を印字したレシートを出力し、処理を終了する。
【００７６】
以上の図６、図８及び図９のように処理することによって、ファンは、残金不足の場合にも選択した優先条件に合った投票をすることができる。更に、投票できなかった投票内容については、投票予約データとしてメモリ領域に保存されるので、残金不足で購入できなかった投票内容について再度、投票カードに記入しなくても会員カードの会員ＩＤに紐付けされた投票予約データを読み出すことにより投票することができる。
【００７７】
以上でキャッシュレス端末１００についての説明を終了し、図２中の入金精算機４００について以下に説明する。
【００７８】
図１０は、図２中の入金精算機４００の外観図であり、キャッシュレス端末１００の外観を示す図４と共通の要素には共通の符号が付されている。
【００７９】
図１０において、入金精算機４００は、キャッシュレス端末１００と同様の投票カード投入排出口１０４、ディスプレイ１０８、タッチパネル１０９を有している。入金精算機４００は、キャッシュレス端末１００の有するレシート排出口１０３及びＩＣカードリーダ１１０に代えて投票券排出口１０３Ａ及びＩＣカード読取・返却部１１０Ａを有している。投票券排出口１０３Ａは、投票内容が印字された投票券を排出する出口である。ＩＣカード読取・返却部１１０Ａは、ＩＣカードの情報の読取りや現金をチャージするものである。
【００８０】
入金精算機４００は、上記に加え、運用状況表示窓１０１、投票券投入口１０２、紙幣投入排出口１０５、硬貨投入口１０６、硬貨排出口１０７を備えている。
【００８１】
運用状況表示窓１０１は、入金精算機１００において、投票券の発券受付中であるか発券中止中であるか、及び、投票券の払戻受付中であるか払戻停止中であるかを表示するものである。投票券投入口１０２は、払戻しをする投票券の投入口である。投票券排出口１０３は、発券された投票券の排出口である。投票カード投入排出口１０４は、投票カードの投入口であり、また、返却する投票カードの排出口でもある。
【００８２】
紙幣投入排出口１０５は、紙幣の投入口であり、又、返却する紙幣及びつり札とする紙幣の排出口でもある。硬貨投入口１０６は、硬貨の投入口であり、硬貨排出口１０７は、返却する硬貨及びつり銭とする硬貨の排出口である。
【００８３】
ディスプレイ１０８及びタッチパネル１０９については、キャッシュレス端末１００において上述した通りである。
【００８４】
ＩＣカード読取・返却部１１０Ａは、残金を読み取り、現金をチャージするための会員カードを挿入すると共に、現金チャージ後の会員カードを返却する機能を有している。
【００８５】
尚、入金精算装置４００において、投票券投入口１０２と投票券排出口１０３Ａを一体構成としても良い。また、硬貨投入口１０６と硬貨排出口１０７を一体構成としても良い。また、投票カード投入排出口１０４を、投票カード投入口と投票カード排出口のように、別構成としても良い。また、紙幣投入排出口１０５を、紙幣投入口と紙幣排出口のように、別構成としても良い。
【００８６】
ここまで、図１０に基づいて入金精算機４００の外観について説明しましたが、図２中の投票券発券装置４００Ａの外観は、図１０に示した入金精算機４００から、ＩＣカード読取・返却部１１０ａを除いた外観であるので、説明を省略する。
【００８７】
図１１は、図１０の入金精算機４００の構成の概略を示すブロック図であり、キャッシュレス端末１００のブロック図を示す図５と共通の要素には共通の符号が付されている。
【００８８】
図１１において、入金精算機４００は、キャッシュレス端末１００と同様のディスプレイ１０８、タッチパネル１０９、投票カード読取ユニット１１４と、キャッシュレス端末１００とは異なる制御部１１１Ａを備えている。
【００８９】
制御部１１１Ａは、ＣＰＵ１２０、ＲＡＭ１２１、ハードディスクドライブ（Hard Disk Drive：以下「ＨＤＤ」という。）１２２Ａ、通信インタフェース１２３、グラフィック処理ユニット１２４Ａ、入出力インタフェース１２５Ａを含み、各々がバス１２６を介して接続されている。尚、制御部１１１Ａは、コンピュータの一例でもある。尚、ＨＤＤ１２２Ａは、これに限らず、ＣＦ１２２等でも良い。
【００９０】
グラフィック処理ユニット１２４Ａには、キャッシュレス端末１００と同様のディスプレイ１０８に加え、管理者用ディスプレイ１１２が接続されている。グラフィック処理ユニット１２４Ａは、ＣＰＵ１２０の制御の下に、各種の情報をディスプレイ１０８、管理者用ディスプレイ１１２の画面に表示させる。尚、管理者用ディスプレイ１１２は、入金精算機４００の裏面側に設けられる管理者向けのディスプレイである。
【００９１】
入出力インタフェース１２５Ａには、キャッシュレス端末１００と同様のＩＣカードリーダ１１０、タッチパネル１０９及び投票カード読取ユニット１１４に加え、管理者用タッチパネル１１３、紙幣還流ユニット１１５、硬貨還流ユニット１１６、投票券印刷ユニット１１７Ａ及び払戻投票券読取ユニット１１８が接続されている。また、入出力インタフェース１２５は、可搬型記録媒体１１９ａに対する情報の書込み及び読出しが可能な読取ユニット１１９と接続可能になっている。入出力インタフェース１２５Ａは、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８、可搬型記録媒体インタフェースから送られてくる信号を、バス１２６を介してＣＰＵ１２０に送信する。また、入出力インタフェース１２５は、ＣＰＵ１２０から送られてくる制御信号を、バス１２６を介して対応するユニット（タッチパネル１０９、ＩＣカードリーダ１１０、管理者用タッチパネル１１３、投票カード読取ユニット１１４、紙幣還流ユニット１１５、硬貨還流ユニット１１６、投票券印刷ユニット１１７、払戻投票券読取ユニット１１８、又は可搬型記録媒体インタフェース）へ送信する。紙幣還流ユニット１１５は、紙幣の受け入れ、紙幣の真贋の鑑別、紙幣の収納、紙幣の返却、つり札の排出を行う。硬貨還流ユニット１１６は、硬貨の受け入れ、硬貨の真贋の鑑別、硬貨の収納、硬貨の返却、つり銭の排出を行う。投票券印刷ユニット１１７Ａは、投票内容を印刷して投票券を発券する。払戻投票券読取ユニット１１８は、投票券を受け入れて投票内容を読み取る。
【００９２】
ＣＰＵ１２０は、入金精算機４００の全体動作を制御する。ＲＡＭ１２１は、ＣＰＵ１２０によって実行されるＯＳのプログラムやアプリケーションプログラムの少なくとも一部を一時的に格納する。また、ＣＰＵ１２０によって実行されるＯＳのプログラムやアプリケーションプログラムは、可搬型記憶媒体１１９ａに記憶し、可搬型記憶媒体１１９ａに記憶されているデータを読み取る読取ユニット１１９及び入出力インタフェース１２５を介して、例えば、ＲＡＭ１２１に格納され、ＣＰＵ１２０によって実行されても良い。
【００９３】
尚、入金精算機４００において、制御部１１１Ａは、例えば、ＦＰＧＡやＤＳＰ等のモジュールを含む構成とすることもできる。この場合、制御部１１１Ａは、不揮発性メモリ、フラッシュメモリ、フラッシュメモリ型メモリカード等を含み、モジュールのファームウェアを記憶する。不揮発性メモリには、可搬型記録媒体１１９ａ、又は通信インタフェース１２３を介してファームウェアを書き込むことができる。このように制御部１１１Ａは、不揮発性メモリに記憶されているファームウェアを書き換えることにより、ファームウェアを更新することもできる。
【００９４】
図１２は、本実施形態の入金精算機４００の機能ブロック図であり、キャッシュレス端末１００の機能ブロック図を示す図１と共通の要素には共通の符号が付されている。
【００９５】
図１２において、入金精算機４００は、図１のキャッシュレス端末１００と同様の購入金額算出手段２と、図１のキャッシュレス端末１００とは構成及び機能が異なる投票入力部１Ａ、入金部３Ａ及び投票部４Ａを有している。
【００９６】
投票入力部１Ａは、投票カードにより投票内容を入力すると共に、投票予約券が投入された場合に投票予約券に付与される予約ＩＤに紐付けされた投票予約データをメモリ領域から読み出して、投票部４Ａへ出力するものである。入金部３Ａは、現金により入金するものである。
【００９７】
投票部４Ａは、キャッシュレス端末１００と同様の判定手段４ｈ、投票処理部４ｂ、表示選択手段４ｃ、投票割付部４ｄ及び投票予約部４ｅに、投票券発券部４ｆと投票予約券発券部４ｇとが新たに追加されている。
【００９８】
投票券発券部４ｆは、投票処理部４ｂにより投票された投票内容を印字した投票券を発券するものであり、投票予約券発券部４ｇは、投票予約部４ｅによりメモリ領域に保存された投票予約データの内容を印字した投票予約券を発券するものである。
【００９９】
図１３（ａ）〜（ｃ）は、投票予約券の例を示す図であり、図１３（ａ）は、予約ＩＤのみが表示された投票予約券の例を示す図であり、図１３（ｂ）は、予約ＩＤと金額が表示された投票予約券の例を示す図であり、図１３（ｃ）は、投票券と投票予約券を兼用した場合の投票予約券の例を示す図である。
【０１００】
図１３（ａ）に示された投票予約券には、予約ＩＤ“1234567890”が付与されており、この予約ＩＤに紐付けされた投票予約データがメモリ領域に保存されている。予約ＩＤ“1234567890”に紐付けされた投票予約データが保存された投票予約データテーブル７００ｂの例が図３（ｂ）に示されている。
【０１０１】
図１３（ｂ）に示された投票予約券の例では、不足金額“3,500円”が印字されているので、ファンは、入金精算機４００で会員カードにチャージが必要な金額を知ることができる。更に、図１３（ｃ）に示された投票予約券の例では、１枚の券で投票券と投票予約券とを兼用しているため、券の枚数が少なくなり、ファンにとって投票券及び投票予約券の管理が簡便である。尚、図１３（ｃ）に示された投票予約券の場合には、例えば、投票券購入後に、四角で囲まれた「投票予約券」の印字の上から二重線を印字するなどして、投票券購入前の投票予約券と投票券購入後の投票予約券とを判別できるようにする必要がある。尚、予約券を投入し、投票後、投票券を新規に発券することも可能である。
【０１０２】
以上の構成の入金精算機４００において、以下に本例の処理動作を説明する。
図１４は、本実施形態の入金精算機４００からの投票の処理を示すフローチャートであり、キャッシュレス端末１００の投票の処理を示す図６と共通の要素には共通の符号が付されている。
【０１０３】
図１０〜図１３を参照しつつ、図１４のフローチャートに沿って、本実施形態の投票券購入の全体処理について説明する。
【０１０４】
入金精算機４００において、処理が開始されると、ステップＳ２１へ進む。ステップＳ２１において、現金、的中券又は投票予約券が投入されるまで待って、現金、的中券又は投票予約券のいずれかが投入されると（Ｙｅｓ）、ステップＳ２へ進む。ステップＳ２〜Ｓ１２において、入金精算機４００は、図６に示されたキャッシュレス端末１００と同様の処理を行い、ステップＳ１３Ａへ進む。
【０１０５】
ステップＳ１３Ａにおいて、入金精算機４００の投票券発券部４ｆは、ステップＳ９又はステップＳ１１において実行された投票内容を印字した投票券を発券すると共に、ステップＳ１２においてメモリ領域に保存した投票予約データの内容を印字した投票予約券を発券し、処理を終了する。ステップＳ１３Ａにおいて、発券された投票券及び投票予約券は、図１０中の投票券排出口１０３ａから排出される。
【０１０６】
以上の図１４の様に処理することによって、購入金額が残金を超える場合にも、残金の範囲内で投票券の購入が可能となり、ファンが購入を希望し残金不足で購入できなかった投票内容については、投票予約券が発券されると共に投票予約券の予約ＩＤに紐付けされた投票予約データがメモリ領域に保存される。予約ＩＤに紐付けされた投票予約データが投票所管理端末７００のメモリ領域に保存された例が図３（ｂ）に示されている。
【０１０７】
投票券発券装置４００Ａからの投票の処理は、入金精算機４００からの投票の処理と同様であるので省略する。
【０１０８】
入金精算機４００又は投票券発券装置４００Ａによれば、ファンが投票を購入を希望する投票券の購入金額が入金額を超える場合にも、残金の範囲でファンが選択した優先条件に従って、投票券の購入が可能になる。更に、購入金額が入金額を超え購入不能な投票券については、投票予約データとしてメモリ領域に保存すると共に、投票予約データに紐付けされた予約ＩＤが付与された投票予約券が発券される。そのため、ファンは、入金精算機４００又は投票券発券装置４００Ａに、投票予約券と不足金額を投入することにより、入金額不足で購入できなかった投票券を速やかに購入することができる。
【０１０９】
本実施形態のキャッシュレス端末１００、入金精算機４００、及び投票券発券装置４００Ａにより、残金不足の場合にも、投票券の発売締め切りによる投票の機会の喪失を軽減することができる。更に、残金不足により投票できなかった投票内容については、投票予約データとして保存されるので、残金不足で購入できなかった投票をする際に、投票カードを再度チェックする必要がないので、ファンの再投票の処理時間が短縮され、投票券の発売締め切りによる投票の機会の喪失を更に、軽減することができる。
【０１１０】
これにより、ファンサービスの向上及び主催者側の売り上げ向上に資することができる。
【０１１１】
尚、本発明は上述した実施形態に限定されるものではなく、実施形態の趣旨を逸脱しない範囲で構成要素を変形して具体化することができる。また、上記実施形態に開示されている複数の構成要素の適宜な組み合わせにより、種々の発明を形成することができる。例えば、実施形態に示された全構成要素を適宜組み合わせても良い。更に、異なる実施形態にわたる構成要素を適宜組み合わせても良い。このように、発明の趣旨を逸脱しない範囲内において種々の変形や応用が可能である。
【符号の説明】
【０１１２】
１，１Ａ            投票入力部
２                  購入金額算出手段
３，３Ａ            入金部
４，４Ａ            投票部
４ｈ                判定手段
４ｂ                投票処理部
４ｃ                表示選択手段
４ｄ                投票割付部
４ｅ                投票予約部
４ｆ                投票券発券部
４ｇ                投票予約券発券部
１００                キャッシュレス端末
１０２                投票券投入口
１０３                レシート排出口
１０３Ａ              投票券排出口
１０４                投票カード投入排出口
１０８                ディスプレイ
１０９                タッチパネル
１１０                ＩＣカードリーダ
１１０Ａ              ＩＣカード読取・返却部
１１７                レシートプリンタ
１１７Ａ              投票券印刷ユニット
２００                管理装置
３００                ネットワーク
４００                入金精算機
４００Ａ              投票券発券装置
４００                キャッシュレス端末
７００                投票所管理端末
７００ａ，７００ｂ    投票予約データテーブル
【図１】
0005996504.tif 000002
【図２】
0005996504.tif 000003
【図３】
0005996504.tif 000004
【図４】
0005996504.tif 000005
【図５】
0005996504.tif 000006
【図６】
0005996504.tif 000007
【図７】
0005996504.tif 000008
【図８】
0005996504.tif 000009
【図９】
0005996504.tif 000010
【図１０】
0005996504.tif 000011
【図１１】
0005996504.tif 000012
【図１２】
0005996504.tif 000013
【図１３】
0005996504.tif 000014
【図１４】
0005996504.tif 000015